(57)【要約】      （修正有）【課題】カッターナイフの刃先を案内するために用いる地ベラを提供する。【解決手段】握り手部１と略Ｌ字型のヘラ板２よりなる地ベラにおいて、略Ｌ字型の長手方向のヘラ板と直角に交差するヘラ板の端部を握り手部の一端に配設し、前記握り手部の他端に略長方形のヘラ板を設けた。【選択図】図１
0003223331.tif 000002
【実用新案登録請求の範囲】
【請求項１】
握り手部と略Ｌ字型のヘラ板よりなる地ベラにおいて、略Ｌ字型の長手方向のヘラ板と直角に交差するヘラ板の端部を握り手部の一端に配設し、前記握り手部の他端に略長方形のヘラ板を設けたことを特徴とする壁紙切断用の地ベラ。
【考案の詳細な説明】
【技術分野】
【０００１】  本考案は、壁紙を貼った際の出隅や入り隅、細かいところの余剰部分をカットする時にカッターナイフの刃先を案内するために用いる地ベラに関するものである。
【背景技術】
【０００２】  従来、上下の壁紙の接し合うジョイント部を仕上げるには、隣り合う上下の壁紙のジョイント部を数センチ重ね合わせた後、幅が１５０ｍｍから３００ｍｍ程度ある幅広状の基板部の下部にエッジ部を有するヘラ板を、上部の中央に握り手部を立ち上がり状に延出させたＴ字型状の地ベラのエッジ部を押し当てて、エッジ部の先端側縁に沿いカッターナイフの刃先を移動させて、重ね切断し余剰部分を取り除いていたが、施工箇所が狭い出隅、入り隅部分を切断する時には、Ｔ字型状の地ベラでヘラ板の幅が１００ｍｍ程度の小さな地ベラや、Ｔ字型状に形成された地ベラであって、略長方形のヘラ板の長手方向に長尺なエッジ部をそして前記エッジ部の両端部に短尺、中尺のエッジ部をエッジ部それぞれ設けた地ベラや、握り手部の対向位置に短尺なエッジ部を備えたミニの地ベラを使用していた。
【先行技術文献】
【特許文献】
【０００３】
【特許文献１】実開平０６−０６４７７５号公報
【考案の概要】
【考案を解決しようとする課題】
【０００４】  従来、施工箇所が狭い出隅や入り隅部分を切断するには、Ｔ字型状に形成された地ベラで幅が１００ｍｍ程度の小さな地ベラや、Ｔ字型状に形成された地ベラで、略長方形のヘラ板の長手方向に長尺なエッジ部をそして前記エッジ部の両端部に短尺、中尺のエッジ部をエッジ部それぞれ設けた地ベラや、握り手部の対向位置に短尺なエッジ部を備えたミニの地ベラを使用していた。しかしながら、一般的なＴ字型状の地ベラはヘラ板の幅を１００ｍｍ程度に狭くしても、また略長方形のヘラ板の長手方向に長尺なエッジ部をそして前記ヘラ板の両端部に短尺、中尺のエッジ部をエッジ部それぞれ設けたＴ字型状の地ベラにしても、ヘラ板を入り隅部分の先端に押し付けた時、壁面に握り手部が干渉して出隅や入り隅部分の先端部までヘラ板を完全に押し当てる事が出来ず、作業が著しく低下する。また握り手部の対向位置に短尺なエッジ部を備えたミニの地ベラは、ヘラ板の幅を変えた数本のミニの地ベラを用意する必要がある。本考案は、上記問題を解決するために施工箇所が狭い出隅や入り隅部分の余剰部分の壁紙をカットするための当て定規として使用し、壁紙貼りの作業を敏速、的確に行うことが出来る地ベラを提供することを目的としたものである。
【問題を解決する手段】
【０００５】  握り手部と略Ｌ字型のヘラ板よりなる地ベラにおいて、略Ｌ字型の長手方向のヘラ板と直角に交差するヘラ板の端部に握り手部の一端を配設して、ヘラ板の長手方向に長尺な直線状のエッジ部をそして前記ヘラ板の両端部に短尺、中尺の直線状のエッジ部をそれぞれ設け、さらに前記握り部の他端に略長方形のヘラ板を設け、ヘラ板には直線状の短尺なエッジ部が形成されたことにより問題を解決している。
【考案の効果】
【０００６】  上述の様に、本考案の地ベラは握り手部の対向位置の一端側には略長方形のヘラ板を設けており、ヘラ板には直線状の短尺なエッジ部が形成されている。また握り手部の他端側には略Ｌ字型の長手方向のヘラ板と直角に交差するヘラ板の端部を握り手部の一端側に配設して、ヘラ板の長手方向に長尺な直線状のエッジ部を設け、そして前記ヘラ板の両端部に短尺、中尺の直線状のエッジ部をそれぞれ設けているので施工箇所が狭い、出隅や入り隅部分に本考案の地ベラを合わせて、略長方形のヘラ板、または略Ｌ字形状の中からより適する幅のヘラ板のエッジ部を選択し、壁紙をカットするための当て定規として使用して、ヘラ板のエッジ部の先端側縁に沿いカッターの刃先を移動させるが、従来のＴ字型状の地ベラと違ってヘラ板のエッジ部の先端に押し付ける際に交差する壁面に握り手部が干渉せずに作業が出来るので、ヘラ板のエッジ部の先端側縁に沿いカッターの刃先を移動させるだけで、一直線の切断が継続して熟練者でなくとも容易に出来る。
【０００７】  さらに出隅や入り隅部分の切断処理をする際、従来のＴ字型状の地ベラのヘラ板はエッジ部の先端に押し付ける際に交差する壁面に握り手部が当たりやすいので、Ｔ字型状の地ベラは持ち方に無理が生じ非常にやりにくい作業となることが避けられず作業効率が悪くなる。
【０００８】  そして、従来の作業では一般的なＴ字型状の地ベラは施工箇所が狭い出隅や入り隅部分は入りにくく、また小さい地ベラでもその狭い隙間に地ベラが入りにくいので、、幅狭い地ベラを数本使い分ける必要があり、小さい地ベラを何本も購入する費用の負担も増える。しかし本考案の地ベラは施工箇所が狭い出隅や入り隅部分の切断にも、ヘラ板の幅が複数異なるエッジ部を有している地ベラなので、本考案の地ベラは施工現場においても一本の地ベラのみで対応出来るので、小さい地ベラを何本も購入する費用の負担もなく作業効率も上がる。
【０００９】また作業現場等で作業員が作業を行う際に必要な工具類を入れる工具袋を腰ベルトに装着しているが、一般的な地ベラはＴ字型状に形成されているので、工具袋には収まり切れずに握り手部分を下にして工具袋に差し入れても、Ｔ字型状の地ベラは不安定であり、取り出す際にヘラ板のエッジ部で指を傷つけてしまう場合が多々あつた。しかしながら、本考案のヘラ板は握り手部に対してＬ字型状に形成されているので、Ｔ字型状のヘラ板の長手方向の幅が約半分しかないので工具袋にスムーズに収まり、取り出しも握り手部分を持って取り出すことが容易に出来るので指を傷つける心配もない。
【図面の簡単な説明】
【００１０】
【図１】  本考案の正面図である。
【図２】  本考案の一部切欠の断面図である。
【考案を実施するための形態】
【００１１】  握り手部と略Ｌ字型のヘラ板よりなる地ベラにおいて、略Ｌ字型の長手方向のヘラ板と直角に交差するヘラ板の端部に握り手部の一端を配設して、前記握り手部の他端に略長方形のヘラ板を設けて、ヘラ板の長手方向に長尺なエッジ部を、そして前記ヘラ板の両端部に短尺、中尺の直線状のエッジ部をそれぞれ設け、さらに前記握り手部の他端に設けた略長方形のヘラ板には短尺なエッジ部が形成する。
【実施例】
【００１２】  以下、本考案の実施の形態を図に基づいて説明する。１は握り手部で木製、プラスチック等で形成されている。２は略Ｌ字形状のヘラ板でステンレス等の薄板で長手方向と直角に交差するヘラ板の端部３を握り手部１の一端に配設している。４は略Ｌ字形状のヘラ板２の長手方向に直線状の長尺なエッジ部である。そして前記略Ｌ字形状のヘラ板２の両端部に直線状の中尺のエッジ部４ａと直線状の短尺のエッジ部４ｂをそれぞれ設けている。５は略長方形のヘラ板で短尺なエッジ部６が形成されており、略長方形のヘラ板５は握り手部１の他端に設けられている。７はリベットで略Ｌ字形状のヘラ板２及び略長方形のヘラ板５を握り手部１で固定している。【００１３】  本考案は以上の構成であるから、本考案の地ベラは握り手部１の対向位置の一端側には略長方形のヘラ板５を設けて直線状の短尺なエッジ部６が形成している。また他端側には略Ｌ字形状のヘラ板２を設けており、ヘラ板の長手方向に長尺な直線状のエッジ部４をそして前記ヘラ板の両端部に短尺、中尺の直線状のエッジ部４ｂ、４ａをそれぞれ設けているので、狭い出隅や入り隅部分の施工箇所に合わせて、余剰部分の壁紙をカットするための当て定規として使用する。従来のＴ字型状の地ベラと違って本考案のヘラ板は握り手部１に対してＬ字型状にヘラ板２が形成されているので、ヘラ板のエッジ部の先端に押し付ける際に交差する壁面に握り手部が干渉されることはないので作業がスムーズに行える。本考案の地ベラはヘラ板の幅が複数異なるエッジ部４、４ｂ、４ａ、６を有している地ベラなので、一本のみで狭い出隅や入り隅部分の施工箇所に対応出来る。また本考案の地ベラは外観はＬ字型を呈す形状なのでヘラ板が工具袋に引っ掛かることもなく、工具袋にスムーズに収まり容易に取り出しも出来る。
【産業上の利用可能性】
【００１４】  本考案は、地ベラを製造する産業で利用される。
【符号の説明】
【００１５】１  握り手部
２  略Ｌ字形状のヘラ板
３  略Ｌ字形状のヘラ板の端部
４  長尺のエッジ部
４ａ  中尺のエッジ部
４ｂ  短尺のエッジ部
５  略長方形のヘラ板
６  略長方形のエッジ部
７  リベット
【図１】
0003223331.tif 000003
【図２】
0003223331.tif 000004